(57)【要約】【課題】載置台に載置された携帯端末装置から出力される報知音によって携帯端末装置の周囲にいる人が驚いてしまうといった事態の発生を低減可能な携帯端末装置を提供する。【解決手段】携帯端末装置であるスマートフォンは、卓上ホルダによって保持されているか否かを判定する。スマートフォンは、予め定められた報知音をスピーカから出力させる場合、スマートフォンが卓上ホルダによって保持されていると判定されたときには、スマートフォンが卓上ホルダによって保持されていないと判定されたときよりも小さな音量で報知音をスピーカから出力させる。【選択図】図５
2016225734.tif 000002
【特許請求の範囲】
【請求項１】
スピーカを備え、載置台に載置可能な携帯端末装置であって、
前記携帯端末装置が前記載置台に載置されているか否かを判定するための判定部と、
前記スピーカからの出力を制御するための出力制御部とを備え、
前記出力制御部は、予め定められた報知音を前記スピーカから出力させる場合、前記携帯端末装置が前記載置台に載置されていると判定されたときには、前記携帯端末装置が前記載置台に載置されていないと判定されたときよりも小さな音量で前記報知音を前記スピーカから出力させる、携帯端末装置。
【請求項２】
第１の音量レベルと、前記第１の音量レベルよりもレベルが低い第２の音量レベルとを記憶可能な記憶部をさらに備え、
前記出力制御部は、
前記携帯端末装置が前記載置台に載置されていないと判定されたときには、前記第１の音量レベルで前記報知音を前記スピーカから出力させ、
前記携帯端末装置が前記載置台に載置されていると判定されたときには、前記第２の音量レベルで前記報知音を前記スピーカから出力させる、請求項１に記載の携帯端末装置。
【請求項３】
前記携帯端末装置は、第１の動作モードと、第２の動作モードとを備え、
前記出力制御部は、
前記第１の動作モードの場合には、前記携帯端末装置が前記載置台に載置されていると判定されたときには、前記第１の音量レベルで前記報知音を前記スピーカから出力させ、
前記第２の動作モードの場合には、前記携帯端末装置が前記載置台に載置されていると判定されたときには、前記第２の音量レベルで前記報知音を前記スピーカから出力させる、請求項２に記載の携帯端末装置。
【請求項４】
前記報知音は、着信音およびアラーム音の少なくとも一方であって、
前記出力制御部は、予め設定されている第３の音量レベルでコンテンツの音を前記スピーカから出力させている場合に前記報知音を出力させるときは、前記携帯端末装置が前記載置台に載置されていると判定されたとしても、前記第３の音量レベルで前記報知音を出力させる、請求項２または３に記載の携帯端末装置。
【請求項５】
前記第１の音量レベルと前記第２の音量レベルを変更可能であって、
前記第１の音量レベルよりも低い音量レベルとなる範囲で前記第２の音量レベルを変更するためのユーザ操作を受け付ける、請求項２から４のいずれか１項に記載の携帯端末装置。
【請求項６】
前記載置台からデジタル情報を受信し、前記受信したデジタル情報に基づいて前記第１の音量レベルおよび前記第２の音量レベルのうちの少なくとも一方を設定する、請求項２から４のいずれか１項に記載の携帯端末装置。
【発明の詳細な説明】
【技術分野】
【０００１】
本発明は、スピーカを備える携帯端末装置に関する。
【背景技術】
【０００２】
従来、携帯型電話機およびスマートフォン等の携帯端末装置を充電するための充電台が知られている。充電台としては、電気的な接点を介して携帯端末装置を充電する卓上ホルダ、充電だけではなくデータの送受信も可能なクレードル、ワイヤレスにより携帯端末装置を充電するワイヤレス充電装置（無接点充電装置）等が知られている。
【０００３】
たとえば、特許文献１には、携帯型電話機を保持するための卓上ホルダが開示されている。当該卓上ホルダは、画像表示部が設けられた面を正面としてこの正面以外の面にスピーカが設けられた携帯型電話機を、正面を観察側に向けて保持する。卓上ホルダは、スピーカから発生して正面以外の方向に向かう音のうちの少なくとも一部を正面方向に向かわせる方向変換手段を備えている。
【０００４】
また、特許文献２には、携帯電話機と、当該携帯電話機が接続可能なクレードルとが開示されている。当該携帯電話機は、音響信号を出力する音響処理部を有する。携帯電話機は、クレードルに接続された場合、音響処理部からの音響信号をクレードルに向けて出力することによって、音響信号に応じた音響をクレードルに配置されたスピーカから出力させる。携帯電話機は、音響処理部から出力される音響信号の種類が特定の種類である場合、当該音響信号のスピーカへの出力を規制する。
【０００５】
また、携帯端末装置は、充電台に載置されていない状態で、着信音およびアラーム音等の報知音を発する場合が多い。そのため、携帯端末装置のユーザは、報知音の音量を、周囲騒音等の中でも聞き取れるような比較的大きな音量に設定することが多い。
【先行技術文献】
【特許文献】
【０００６】
【特許文献１】特開２００５−１３６８９５号公報
【特許文献２】特開２００７−１３５０７７号公報
【発明の概要】
【発明が解決しようとする課題】
【０００７】
ところで、携帯端末装置を載置台（たとえば、充電台や、充電機能を有さない単なる台）に載置している場合には、携帯端末装置の周囲にいる人（特に、携帯端末装置のユーザ以外の第三者）は、載置台に載置された携帯端末装置から報知音が出力されると、当該報知音に驚くこともある。特に、載置台が、報知音を増幅する機能や、載置台における音の伝導作用によって報知音が増幅されるような音響特性を有する場合には、携帯端末装置の周囲にいる人は驚く可能性が高い。
【０００８】
本発明は、上記の問題点に鑑みなされたものであって、その目的は、載置台に載置された携帯端末装置から出力される報知音によって携帯端末装置の周囲にいる人（上記のユーザおよび／または第三者）が驚いてしまうといった事態の発生を低減可能な携帯端末装置を提供することにある。
【課題を解決するための手段】
【０００９】
本発明のある局面に従うと、携帯端末装置は、スピーカを備え、載置台に載置可能である。携帯端末装置は、携帯端末装置が載置台に載置されているか否かを判定するための判定部と、スピーカからの出力を制御するための出力制御部とを備える。出力制御部は、予め定められた報知音をスピーカから出力させる場合、携帯端末装置が載置台に載置されていると判定されたときには、携帯端末装置が載置台に載置されていないと判定されたときよりも小さな音量で報知音をスピーカから出力させる。
【発明の効果】
【００１０】
上記の発明によれば、載置台に載置された携帯端末装置から出力される報知音によって携帯端末装置の周囲にいる人が驚いてしまうといった事態の発生を低減可能となる。
【図面の簡単な説明】
【００１１】
【図１】スマートフォン１の外観を表した図である。
【図２】スマートフォン１が載置される卓上ホルダ２の外観を表した斜視図である。
【図３】卓上ホルダ２を用いてスマートフォン１を充電する際の操作方法を説明するための図である。
【図４】スマートフォン１と卓上ホルダ２との構成を説明するための図である。
【図５】スマートフォン１における処理の流れを説明するためのフローチャートである。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
また、以下では、携帯端末装置の一例として、スマートフォンを例に挙げて説明するが、これに限定されるものではない。携帯端末装置は、着信音やアラーム音等の予め定められた報知音を発する充電式の電子機器であって、充電台で充電される電子機器であれば、特に限定されない。たとえば、携帯端末装置は、フィーチャーフォン、タブレット端末、電子辞書、デジタルカメラであってもよい。また、スマートフォンは、たとえばＡｎｄｒｏｉｄ（登録商標）をＯＳ（Operating System）に用いた、フィーチャーフォン型のスマートフォンであってもよい。
【００１４】
また、以下では、載置台の一例として、充電台を例に挙げて説明する。しかしながら、これに限定されるものではなく、載置台は、携帯端末装置を載置可能な構成を有する台であればよい。また、以下では、充電台の一例として、卓上ホルダを例に挙げて説明するが、これに限定されるものではなく、充電台は、クレードルであってもよいし、ワイヤレス充電装置であってもよい。
【００１５】
携帯端末装置は、充電台に載置されることにより充電がなされる。以下では、携帯端末装置としてのスマートフォンを充電台である卓上ホルダに載置することを、スマートフォンを卓上ホルダによって保持させるとも称する。つまり、以下では、「載置」の一態様として、「保持」という文言を用いる場合がある。
【００１６】
図１は、スマートフォン１の外観を表した図である。図１（Ａ）は、スマートフォン１の正面を表した正面図である。図１（Ｂ）は、スマートフォン１の裏面を表した裏面図である。図１（Ａ）を参照して、スマートフォン１は、タッチスクリーン１０９と、通話相手の音声を出力するための受話口１１３とを備える。なお、タッチスクリーン１０９は、典型的には、ディスプレイの上にタッチパネルが載置されることにより構成される。
【００１７】
図１（Ｂ）を参照して、スマートフォン１は、外部接続端子１０５と、カメラ１１０と、スピーカ１１２と、２つの充電端子１１５とを備える。なお、スマートフォン１のユーザの声を通信相手に伝えるための送話口（マイク）は、外部接続端子１０５が設けられている底面に設けられている。
【００１８】
外部接続端子１０５は、ＡＣ（alternating current）アダプタまたはパーソナルコンピュータとの接続用のｍｉｃｒｏＵＳＢ（Universal Serial Bus）ケーブルを接続するための端子である。
【００１９】
充電端子１１５は、後述する卓上ホルダ２（図２）の利用時に用いる端子である。詳しくは、充電端子１１５は、スマートフォン１を後述する卓上ホルダに載置してスマートフォン１のバッテリ（二次電池）を充電する際に、外部電源による電力をスマートフォン１に給電するために用いられる金属端子である。
【００２０】
スピーカ１１２は、着信音やアラーム音等の報知音と、各種コンテンツの音とを出力するための出力装置である。スピーカ１１２は、電気信号を音響に変換するものであれば、磁界方式に限らず、圧電方式等の他の方式でもよい。なお、コンテンツとしては、音楽、動画、テレビ映像等が挙げられる。
【００２１】
図２は、スマートフォン１が載置される卓上ホルダ２の外観を表した斜視図である。図２を参照して、卓上ホルダ２は、音響ダクト２０１と、クッション部材２０２と、２つの開口２０３とを備える。
【００２２】
音響ダクト２０１は、音を増幅するための空間である。音響ダクト２０１は、スマートフォン１が卓上ホルダ２によって保持されていないときには、入口２１１および出口２１２が外部に露出している。スマートフォン１が卓上ホルダ２によって保持されると、音響ダクト２０１の入口２１１付近にはスマートフォン１のスピーカ１１２が位置し、その結果、入口２１１は外部に露出しなくなる。
【００２３】
クッション部材２０２は、矩形の開口を有する。クッション部材２０２は、音響ダクト２０１の入口２１１の周囲に設置されている。クッション部材２０２は、スマートフォン１のスピーカ１１２の周囲の部分（筐体の裏面の一部）を支持する。クッション部材２０２は、典型的には、ゴム等の弾力部材で構成されている。
【００２４】
スマートフォン１を卓上ホルダ２によって保持させた場合に、スマートフォン１のスピーカ１１２が音を発すると、当該発せられた音は、音響ダクト２０１の入口２１１から出口２１２に進む間に増幅されて出口２１２から出力される。
【００２５】
２つの開口２０３の各々は、卓上ホルダ２の筐体の内部から外部へ充電端子（図示せず）を突出させるために設けられている。なお、スマートフォン１を卓上ホルダ２で充電させる場合には、スマートフォン１の側面が卓上ホルダ２の底面２０５に当接し、スマートフォン１の裏面が卓上ホルダ２の傾斜面２０６に当接する。
【００２６】
図３は、卓上ホルダ２を用いてスマートフォン１を充電する際の操作方法を説明するための図である。図３（Ａ）は、スマートフォン１を卓上ホルダ２に近づけた状態を表した図である。図３（Ｂ）は、スマートフォン１の側面が卓上ホルダ２の底面２０５に当接させた直後の状態を表した図である。図３（Ｃ）は、スマートフォン１の裏面が卓上ホルダ２の傾斜面２０６に当接させた後の状態を表した図である。
【００２７】
図３（Ａ）を参照して、ユーザが卓上ホルダ２を用いてスマートフォン１を充電する場合には、ユーザは、以下の準備をする。まず、ユーザは、ＡＣアダプタ８０２に対して、両端がオス側のコネクタ（以下、「プラグ」と称する）で構成されたケーブル８０３の一方のプラグ（典型的には、ＵＳＢプラグ）を接続する。次に、ユーザは、ケーブル８０３の他方のプラグ（典型的には、ｍｉｃｒｏＵＳＢプラグ）を、卓上ホルダ２のメス側のコネクタ（レセプタクル）に差し込む。さらに、ユーザは、ＡＣアダプタ８０２のプラグを商用電源のコンセント８０１に差し込む。この後、ユーザは、スマートフォン１の側面を卓上ホルダ２の底面２０５に当接させるため、スマートフォン１を矢印９０１の方向へ移動させる。
【００２８】
図３（Ｂ）を参照して、スマートフォン１の側面を卓上ホルダ２の底面２０５に当接させた後、ユーザは、スマートフォン１の裏面を卓上ホルダ２の傾斜面２０６に当接させるため、スマートフォン１の当該側面を回転軸としてスマートフォン１を矢印９０２の方向へ回転させる。
【００２９】
図３（Ｃ）を参照して、矢印９０２の方向への回転が終わると、卓上ホルダ２の２つの開口２０３の各々から充電端子（図示せず）が突出し、当該突出した各充電端子がスマートフォン１の対応する充電端子１１５に当接する。これにより、スマートフォン１の充電が開始される。
【００３０】
ユーザがスマートフォン１においてコンテンツを再生している場合、スマートフォン１は、スピーカ１１２からコンテンツの音を出力する。また、スマートフォン１は、着信があった場合、スピーカ１１２から着信音を出力する。さらに、スマートフォン１は、アラーム設定時刻になった場合、スピーカからアラーム音を出力する。スピーカ１１２から出力されたこれらの音は、音響ダクト２０１によって音量が増幅されて、音響ダクト２０１の出口２１２から出力される。
【００３１】
図４は、スマートフォン１と卓上ホルダ２との構成を説明するための図である。図４を参照して、スマートフォン１は、制御部１０１と、記憶部１０２と、充電回路１０３と、バッテリ１０４と、外部接続端子１０５と、通信処理部１０６と、アンテナ１０７と、音響処理部１０８と、タッチスクリーン１０９と、カメラ１１０と、ホール素子１１１と、スピーカ１１２と、受話口１１３と、送話口１１４と、充電端子１１５とを備える。制御部１０１は、判定部１５１を有する。音響処理部１０８は、出力制御部１５８を有する。
【００３２】
卓上ホルダ２は、音響ダクト２０１と、充電器２０７と、マグネット磁石２０８とを備える。充電器２０７は、ＡＣアダプタ８０２およびケーブル８０３のプラグ（典型的には、ｍｉｃｒｏＵＳＢプラグ）を介して受電する。マグネット磁石２０８は、スマートフォン１が卓上ホルダ２によって保持された場合、スマートフォン１のホール素子１１１に対向する位置に設けられている。
【００３３】
以下、スマートフォン１の各部の処理について説明する。
記憶部１０２は、オペレーティングシステム、各種のアプリケーションソフトウェア、各種のデータを記憶している。なお、記憶部１０２は、ＲＯＭ（Read Only Memory）、ＲＡＭ（Random Access Memory）、フラッシュメモリ等のメモリで構成される。
【００３４】
記憶部１０２は、コンテンツの音量レベル（第３の音量レベル）を記憶している。また、記憶部１０２は、報知音の音量レベルとして、第１の音量レベルと、第１の音量レベルよりも低い第２の音量レベルとを記憶している。これらの音量レベルの設定（変更）は、ユーザによる操作部（図示せず）を介した入力によって行われる。詳しくは、スマートフォン１は、第１の音量レベルよりも低い音量レベルとなる範囲で第２の音量レベルを変更するためのユーザ操作を受け付ける。
【００３５】
ホール素子１１１は、卓上ホルダ２のマグネット磁石２０８の発生する磁界を電気信号に変換し、当該電気信号を制御部１０１に送る。
【００３６】
制御部１０１は、スマートフォン１の全体の動作を制御する。なお、制御部１０１は、ＣＰＵが、記憶部１０２に記憶されているオペレーティングシステムおよび各種のアプリケーションソフトウェアを実行することにより実現される。
【００３７】
制御部１０１は、報知音の音量を制御しない動作モード（以下、「第１の動作モード」とも称する）および報知音の音量を制御する動作モード（以下、「第２の動作モード」とも称する）うち、ユーザによって選択された動作モードで動作する。詳しくは、「第２の動作モード」は、第１の動作モードに比べて、報知音の音量を低減する動作モードである。
【００３８】
判定部１５１は、ホール素子１１１から出力された電気信号に基づき、スマートフォン１が卓上ホルダ２によって保持されているか否か（卓上ホルダ２に載置されているか否か）を判定する。判定部１５１は、判定結果を音響処理部１０８に送る。なお、本実施の形態では、マグネット磁石２０８とホール素子１１１とによりスマートフォン１が卓上ホルダ２によって保持されているか否かを判定する構成を例に挙げて説明しているが、これに限定されるものではない。メカニカル的な機構によってスマートフォン１が卓上ホルダ２によって保持されているか否かを判定するように、スマートフォン１と卓上ホルダ２とを構成してもよい。
【００３９】
充電回路１０３は、充電器２０７および充電端子１１５を介して給電された電力を、バッテリ１０４に蓄積させる。バッテリ１０４は、スマートフォン１内の各部を動作させるために当該各部に電力を供給する。
【００４０】
通信処理部１０６は、アンテナ１０７を介した通信を行なうための各種の処理を実行するための通信ＩＦ（InterFace）である。たとえば、通信処理部１０６は、ＲＦ（Radio Frequency）回路およびベースバンド回路を含んで構成される。通信処理部１０６は、通信相手の通信機器からの着信を受け付ける。
【００４１】
音響処理部１０８は、スマートフォン１の送話口１１４で集音した音に対して音声符号化処理を行ない、当該処理後のデータ（たとえば、音声データ）を制御部１０１に送る。また、音響処理部１０８は、スマートフォン１から音を出力するために制御部１０１から送られてきたデータ（たとえば、音声データ）に対して音声復号化処理を行ない、当該処理後の音を受話口１１３またはスピーカ１１２に出力させる。具体的には、音響処理部１０８は、受話口１１３から通話相手の音声を出力させ、スピーカ１１２からコンテンツの音および報知音を出力させる。
【００４２】
次に、音響処理部１０８の出力制御部１５８について説明する。
（１）出力制御部１５８は、スピーカ１１２からの出力を制御する。出力制御部１５８は、報知音をスピーカ１１２から出力させる場合、判定部１５１によってスマートフォン１が卓上ホルダ２に載置されている（つまり、卓上ホルダ２によって保持されている）と判定されたときには、スマートフォン１が卓上ホルダ２に載置されていないと判定されたときよりも小さな音量で報知音をスピーカ１１２から出力させる。
【００４３】
上記の構成によれば、スマートフォン１は、卓上ホルダ２に載置されているときには、載置されていないときよりも小さな音量で報知音を出力する。したがって、スマートフォン１から出力される報知音（音響ダクトで増幅された後の報知音）によってスマートフォン１の周囲にいる人（ユーザおよび／または第三者）が驚いてしまうといった事態の発生を低減可能となる。
【００４４】
（２）詳しくは、記憶部１０２は、上述したように、第１の音量レベルと、前記第１の音量レベルよりもレベルが低い第２の音量レベルとを記憶している。出力制御部１５８は、スマートフォン１が卓上ホルダ２に載置されていないと判定されたときには、上記第１の音量レベルで報知音をスピーカ１１２から出力させる。また、出力制御部１５８は、スマートフォン１が卓上ホルダ２に載置されていると判定されたときには、上記第２の音量レベルで報知音をスピーカ１１２から出力させる。
【００４５】
（３）さらに詳しくは、スマートフォン１は、上述したように、第１の動作モード（報知音の音量を制御しない動作モード）と、第２の動作モード（報知音の音量を制御する動作モード）とを備える。出力制御部１５８は、スマートフォン１の動作モードが第１の動作モードの場合、スマートフォン１が卓上ホルダ２に載置されていると判定されたときには、第１の音量レベルで報知音をスピーカ１１２から出力させる。また、出力制御部１５８は、スマートフォン１の動作モードが第２の動作モードの場合、スマートフォン１が卓上ホルダ２に載置されていると判定されたときには、第２の音量レベルで報知音をスピーカ１１２から出力させる。
【００４６】
このように、ユーザは、スマートフォン１の動作モードを第２の動作モードに設定することによって、卓上ホルダ２に載置されていることを条件に、卓上ホルダに載置されていないときよりも小さな音量（第２の音量レベル）で報知音をスピーカ１１２から出力させることができる。
【００４７】
（４）上述したように、報知音は、着信音およびアラーム音である。出力制御部１５８は、予め設定されている上述した第３の音量レベルでコンテンツの音をスピーカ１１２から出力させている場合に報知音を出力させるときは、スマートフォン１が卓上ホルダ２に載置されていると判定されたとしても、第３の音量レベルで報知音を出力させる。つまり、出力制御部１５８は、スマートフォン１が卓上ホルダ２に載置されていると判定されたとしても、スピーカ１１２から第２の音量レベルで報知音を出力させない。
【００４８】
上記の構成によれば、コンテンツの音をスピーカら出力させている場合には、コンテンツの音量レベルと同じ音量レベルで報知音を出力する。ユーザがコンテンツを視聴しているときには、コンテンツの音量レベルと同じ音量レベルで出力された報知音が音響ダクト２０１から出力されても、ユーザは驚くことは少ない。逆に、コンテンツと同じ程度の音量レベルで報知音が出力されないと、ユーザは、報知音に気づきにくい。したがって、スマートフォン１によればは、上記の構成を有しないスマートフォンに比べて、ユーザにとっての利便性を高めることができる。
【００４９】
図５は、スマートフォン１における処理の流れを説明するためのフローチャートである。詳しくは、図５は、報知音を出力する状況（トリガ）が発生した後の処理の流れを説明するためのフローチャートである。
【００５０】
図５を参照して、ステップＳ２において、スマートフォン１は、スマートフォン１が卓上ホルダ２によって保持されているか否かを判定する。具体的には、制御部１０１は、ホール素子から出力される電気信号に基づき、スマートフォン１が卓上ホルダ２によって保持されているか否かを判定する。保持されていないと判定された場合（ステップＳ２においてＮＯ）、ステップＳ１４において、スマートフォン１は、第１の音量レベルで報知音をスピーカ１１２から出力する。
【００５１】
保持されていると判定された場合（ステップＳ２においてＹＥＳ）、ステップＳ４において、スマートフォン１は、コンテンツを再生中か否かを判定する。コンテンツを再生中であると判定された場合（ステップＳ４においてＹＥＳ）、ステップＳ１２において、スマートフォン１は、コンテンツ再生用の音量レベル（すなわち、上述した第３の音量レベル）で報知音を出力する。コンテンツを再生中でないと判定された場合（ステップＳ４においてＮＯ）、ステップＳ６において、スマートフォン１は、動作モードが、報知音の音量を制御する動作モード（つまり、第２の動作モード）であるか否かを判定する。
【００５２】
報知音の音量を制御しない動作モード（つまり、第１の動作モード）であると判定された場合（ステップＳ６においてＮＯ）、ステップＳ１０において、スマートフォン１は、第１の音量レベルで報知音をスピーカ１１２から出力する。報知音の音量を制御する動作モード（第２の動作モード）であると判定された場合（ステップＳ６においてＹＥＳ）、ステップＳ８において、スマートフォン１は、第１の音量レベルよりも低い第２の音量レベルで報知音をスピーカ１１２から出力する。
【００５３】
上述した卓上ホルダの音響ダクト２０１の入口２１１の位置およびスマートフォン１のスピーカ１１２の位置は、上述した位置に限定されるものではない。
【００５４】
（変形例）
卓上ホルダ２等の載置台が、載置されているスマートフォン１に対して、載置台の種別毎に固有のデジタル情報を送信する構成としてもよい。また、この場合、スマートフォン１を、載置台からデジタル情報を受信するとともに、当該受信したデジタル情報に基づいて第１の音量レベルおよび第２の音量レベルのうちの少なくとも一方を設定するように構成しておく。このような構成によれば、スマートフォン１は、載置台の音響特性に応じた音量レベルを設定可能となる。たとえば、上記デジタル情報の受信には、充電用結線周辺の信号線、あるいは、近接通信等を利用することができる。
【００５５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００５６】
１  スマートフォン、２  卓上ホルダ、１０１  制御部、１０２  記憶部、１０３  充電回路、１０４  バッテリ、１０５  外部接続端子、１０６  通信処理部、１０７  アンテナ、１０８  音響処理部、１０９  タッチスクリーン、１１０  カメラ、１１１  ホール素子、１１２  スピーカ、１１３  受話口、１１４  送話口、１１５  充電端子、１５１  判定部、１５８  出力制御部、２０１  音響ダクト、２０２  クッション部材、２０３  開口、２０５  底面、２０６  傾斜面、２０７  充電器、２０８  マグネット磁石、２１１  入口、２１２  出口、８０１  コンセント、８０２  アダプタ、８０３  ケーブル。
【図１】
2016225734.tif 000003
【図２】
2016225734.tif 000004
【図３】
2016225734.tif 000005
【図４】
2016225734.tif 000006
【図５】
2016225734.tif 000007